(57)【特許請求の範囲】
【請求項１】
建物の開口を有する既存外壁に追加外装材を増し貼りするに際し、建物の開口上に上壁枠組が設けられるとともに、該上壁枠組の外面に既存外壁が固定されてなる建物の開口上の補強構造において、
建物の開口上の上壁枠組の外面に固定されている既存外壁を剥がさずにその上に補強用構造面材を貼り、この補強用構造面材の外側に追加外装材を設け、
補強用構造面材と追加外装材の間に空気層形成用胴縁を設けることを特徴とする建物の開口上の補強構造。
【請求項２】
前記補強用構造面材が平板状をなす請求項１に記載の建物の開口上の補強構造。
【請求項３】
前記上壁枠組が、上枠材と、２本の柱と、開口の上の横架材と、上枠材と横架材の間に架け渡される複数本の縦枠材により構成される請求項１又は２に記載の建物の開口上の補強構造。
【請求項４】
前記補強用構造面材と空気層形成用胴縁とを予め組付けた小組体としてなる請求項１〜３のいずれかに記載の建物の開口上の補強構造。
【請求項５】
前記補強用構造面材を上壁枠組の外面の範囲内にある既存外壁の上にだけ貼る請求項１〜４のいずれかに記載の建物の開口上の補強構造。
【請求項６】
前記補強用構造面材が貼られない既存外壁と追加外装材の間に空気層形成用胴縁を設ける請求項５に記載の建物の開口上の補強構造。
【発明の詳細な説明】
【技術分野】
【０００１】
本発明は建物の開口上の補強構造に関する。
【背景技術】
【０００２】
建物のリフォームのために、建物の特許文献１に記載の如くに開口（窓等）を有する既存外壁に追加外装材を増し貼りすることがある。
【０００３】
尚、建物の耐震補強のために、特許文献２に記載の如く、建物外壁に補強板を貼るものがある。
【特許文献１】特開2001-140382
【特許文献２】特開2006-336332
【発明の開示】
【発明が解決しようとする課題】
【０００４】
建物の特許文献１に記載の如くに開口（窓等）を有する既存外壁に直に追加外装材を増し貼りするときには、開口上の外壁の重量が追加外装材の増し貼り分だけ増し、開口上の外壁の枠組のうち、開口上の横架材（まぐさ）が外壁の重量に起因して下方にたわみ、窓サッシの開閉に支障をきたす等がある。
【０００５】
尚、特許文献２は、建物の耐震補強のために、建物の外壁に単に補強板を貼るものであり、建物の開口上の既存外壁に追加外装材を増し貼りする際の補強構造に関するところが全くない。
【０００６】
本発明の課題は、建物の開口上の既存外壁に追加外装材を増し貼りする際に、開口上の横架材のたわみを防止することにある。
【課題を解決するための手段】
【０００７】
請求項１の発明は、建物の開口を有する既存外壁に追加外装材を増し貼りするに際し、建物の開口上に上壁枠組が設けられるとともに、該上壁枠組の外面に既存外壁が固定されてなる建物の開口上の補強構造において、建物の開口上の上壁枠組の外面に固定されている既存外壁を剥がさずにその上に補強用構造面材を貼り、この補強用構造面材の外側に追加外装材を設け、補強用構造面材と追加外装材の間に空気層形成用胴縁を設けるようにしたものである。
請求項２の発明は、請求項１の発明において更に、前記補強用構造面材が平板状をなすようにしたものである。
【０００８】
請求項３の発明は、請求項１又は２の発明において更に、前記上壁枠組が、上枠材と、２本の柱と、開口の上の横架材と、上枠材と横架材の間に架け渡される複数本の縦枠材により構成されるようにしたものである。
請求項４の発明は、請求項１〜３のいずれかの発明において更に、前記補強用構造面材と空気層形成用胴縁とを予め組付けた小組体としてなるようにしたものである。
【０００９】
請求項５の発明は、請求項１〜４のいずれかの発明において更に、前記補強用構造面材を上壁枠組の外面の範囲内にある既存外壁の上にだけ貼るようにしたものである。
請求項６の発明は、請求項５の発明において更に、前記補強用構造面材が貼られない既存外壁と追加外装材の間に空気層形成用胴縁を設けるようにしたものである。
【発明の効果】
【００１０】
（請求項１、２）
(a)建物の開口上の既存外壁に追加外装材を増し貼りする際に、既存外壁に補強用構造面材を貼り、この補強用構造面材の外側に追加外装材を設ける。これにより、開口上の外壁の重量が追加外装材の増し貼り分だけ増すものの、開口上の外壁の枠組が補強用構造面材により補強され、開口上の外壁の枠組の一部である開口上の横架材も補強される結果、この横架材が外壁の重量に起因して下方にたわむことがなく、窓サッシの開閉に支障をきたすことがない。
【００１１】
(b)補強用構造面材と追加外装材の間に、空気層形成用胴縁を設けることにより、開口上の追加外装材の壁内に空気層が形成され、追加外装材の壁内を乾燥状態に保つことができる。
【発明を実施するための最良の形態】
【００１３】
図１は追加外装材の増し貼り状況を示す模式斜視図、図２は開口上の補強構造を示す模式斜視図、図３は開口上の補強構造を示す模式断面図である。
【実施例】
【００１４】
図１に示す建物１０は、窓（玄関等でも可）を形成する開口Ａを有する。建物１０は、図２、図３に示す如く、上枠材１１と下枠材１２（不図示）の間に複数本の柱１３を立て、開口Ａの周囲に壁枠組２０を形成し、壁枠組２０の外面に既存外壁３０を釘打ち等により固定している。壁枠組２０の内面には内壁４０が釘打ち等により固定されている。
【００１５】
尚、開口Ａの上の上壁枠組２０Ａは、上枠材１１と、２本の柱１３、１３と、開口Ａの上の横架材（まぐさ）２１と、上枠材１１と横架材２１の間に架け渡される複数本の縦枠材２２により構成される。上壁枠組２０Ａの外面には、開口Ａの上の既存外壁３０Ａが釘打ち等により固定される。
【００１６】
建物１０は、リフォームのために、図１〜図３に示す如く、既存外壁３０に追加外装材３１が増し貼りされる。既存外壁３０と追加外装材３１の間には胴縁３２が介装され、追加外装材３１の壁内に空気層３３を形成している。
【００１７】
このとき、建物１０は、開口Ａの上の上壁枠組２０Ａ、特にその横架材２１を補強するため、図２、図３に示す如く、開口Ａの上の既存外壁３０Ａに補強用構造面材５１を釘打ち等して貼り、この補強用構造面材５１の外側に追加外装材３１を釘打ち等して設ける。補強用構造面材５１としては、構造用合板、木片セメント板、火山性ガラス質複層板（ダイライト）、鉄板等を採用できる。
【００１８】
更に、建物１０は、開口Ａの上の補強用構造面材５１と追加外装材３１の間に、胴縁５２を介装し、開口Ａの上の追加外装材３１についてもその壁内に空気層５３を形成する。補強用構造面材５２と胴縁５２は、予め組付けた小組体５０として、既存外壁３０Ａに釘打ち等して貼り設けることができる。
【００１９】
本実施例によれば以下の作用効果を奏する。
(a)建物１０の開口Ａの上の既存外壁３０Ａに追加外装材３１を増し貼りする際に、既存外壁３０Ａに補強用構造面材５１を貼り、この補強用構造面材５１の外側に追加外装材３１を設ける。これにより、開口Ａの上の外壁（既存外壁３０Ａ及び追加外装材３１）の重量が追加外装材３１の増し貼り分だけ増すものの、開口Ａの上の外壁（既存外壁３０Ａ及び追加外装材３１）の壁枠組２０Ａが補強用構造面材５１により補強され、開口Ａの上の外壁（既存外壁３０Ａ及び追加外装材３１）の壁枠組２０Ａの一部である開口Ａの上の横架材２１も補強される結果、この横架材２１が外壁（既存外壁３０Ａ及び追加外装材３１）の重量に起因して下方にたわむことがなく、窓サッシの開閉に支障をきたすことがない。
【００２０】
(b)補強用構造面材５１と追加外装材３１の間に、空気層形成用胴縁５２を設けることにより、開口Ａの上の追加外装材３１の壁内に空気層５３が形成され、追加外装材３１の壁内を乾燥状態に保つことができる。
【００２１】
(c)上述(b)の補強用構造面材５１と空気層形成用胴縁５２とを予め組付けた小組体５０とすることにより、開口Ａの上を補強する施工性を向上できる。
【００２２】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００２３】
【図１】図１は追加外装材の増し貼り状況を示す模式斜視図である。
【図２】図２は開口上の補強構造を示す模式斜視図である。
【図３】図３は開口上の補強構造を示す模式断面図である。
【符号の説明】
【００２４】
１０  建物
１１  上枠材
１３  柱
２０Ａ  上壁枠組
２１  横架材
２２  縦枠材
３０、３０Ａ  既存外壁
３１  追加外装材
３２  胴縁
３３  空気層
５０  小組体
５１  補強用構造面材
５２  胴縁
５３  空気層
Ａ  開口
【図１】
0005308659.tif 000002
【図２】
0005308659.tif 000003
【図３】
0005308659.tif 000004